(57)【要約】【課題】姿勢が異なるポールの角度に合わせてクランプ機構の角度を変化させるとともに、大きな負荷が加わっても医療機器を強く固定できる固定装置を提供すること。【解決手段】  固定装置１は、医療機器をポールに固定するものである。固定装置１は、置台機構１０と、クランプ機構３０とからなる。クランプ機構３０は、クランプ部３１と、連結部４１とを備える。置台機構１０は、置台１１と、置台１１に表面側の開口幅よりも奥側の幅が大きくなるように形成されている溝状のガイド部１２と、係止部２１とを備える。突出部は、外形寸法がガイド部１２の表面側の開口幅よりも小さい首部と、外形寸法がガイド部１２の表面側の開口幅よりも大きく且つガイド部１２の奥側の幅よりも小さい頭部とを有する。  被係止部は、クランプ機構３０がガイド部１２に案内されたときに、係止部２１に係止させる第１被係止部４５ａと、第２被係止部４５ｂとからなる。【選択図】図２
2019126358.tif 000002
【特許請求の範囲】
【請求項１】
医療機器をポールに固定する固定装置であって、
当該固定装置は、前記医療機器が装着される置台機構と、当該置台機構を前記ポールに固定するクランプ機構とからなり、
前記クランプ機構は、前記ポールをクランプするクランプ部と、当該クランプ部に設けられ前記置台機構を連結する連結部とを備え、
前記置台機構は、前記医療機器が装着される置台と、当該置台に表面側の開口幅よりも奥側の幅が大きくなるように形成されている溝状のガイド部と、当該ガイド部に案内された前記クランプ機構を着脱自在に係止する係止部と、前記ガイド部に連設され該ガイド部から前記連結部を挿抜可能な開口部とを備え、
前記連結部は、前記置台機構を連結するときに、前記置台の前記ガイド部に沿った表面に対して摺動可能な摺動面を有する連結本体部と、当該連結本体部から突出し前記ガイド部に沿って摺動可能に該ガイド部の内部空間に嵌合される突出部と、当該ガイド部に案内された前記クランプ機構を前記係止部に係止させる被係止部とを備え、
前記突出部は、前記連結本体部に連設されるとともに、前記突出方向に垂直な第１の方向の外形寸法と前記突出方向に垂直であって該第１の方向と交差する第２の方向の外形寸法とがそれぞれ前記ガイド部の表面側の開口幅よりも小さい首部と、当該突出部の先端に連設されるとともに、前記第１の方向及び前記第２の方向の外形寸法がそれぞれ前記ガイド部の表面側の開口幅よりも大きく且つ前記ガイド部の奥側の幅よりも小さい頭部とを有し、
前記被係止部は、前記突出方向及び前記第１の方向の双方に直交する方向に向かって前記クランプ機構が当該ガイド部に案内されたときに、前記係止部に係止させる第１被係止部と、前記突出方向及び前記第２の方向の双方に直交する方向に向かって前記クランプ機構が当該ガイド部に案内されたときに、前記係止部に係止させる第２被係止部とからなることを特徴とする固定装置。
【請求項２】
医療機器をポールに固定する固定装置であって、
当該固定装置は、前記医療機器が装着される置台機構と、当該置台機構を前記ポールに固定するクランプ機構とからなり、
前記クランプ機構は、前記ポールをクランプするクランプ部と、当該クランプ部に設けられ前記置台機構を連結する連結部とを備え、
当該連結部は、当該連結部に表面側の開口幅よりも奥側の幅が大きくなるように形成されている溝状のガイド部と、当該ガイド部に案内された前記置台機構を着脱自在に係止する係止部と、前記ガイド部に連設され該ガイド部から前記置台機構を挿抜可能な開口部とを備え、
前記置台機構は、前記連結部に連結するときに、前記医療機器が装着されるとともに前記連結部の前記ガイド部に沿った表面に対して摺動可能な摺動面を有する置台と、当該置台から突出し前記ガイド部に沿って摺動可能に該ガイド部の内部空間に嵌合される突出部と、前記ガイド部に案内された前記置台機構を前記係止部に係止させる被係止部とを備え、
前記突出部は、前記置台に連設されるとともに、前記突出方向に垂直な第１の方向の外形寸法と前記突出方向に垂直であって該第１の方向と交差する第２の方向の外形寸法とがそれぞれ前記ガイド部の表面側の開口幅よりも小さい首部と、当該突出部の先端に連設されるとともに、前記第１の方向及び前記第２の方向の外形寸法がそれぞれ前記ガイド部の表面側の開口幅よりも大きく且つ前記ガイド部の奥側の幅よりも小さい頭部とを有し、
前記被係止部は、前記突出方向及び前記第１の方向の双方に直交する方向に向かって前記置台機構が当該ガイド部に案内されたときに、前記係止部に係止させる第１被係止部と、前記突出方向及び前記第２の方向の双方に直交する方向に向かって前記置台機構が当該ガイド部に案内されたときに、前記係止部に係止させる第２被係止部とからなることを特徴とする固定装置。
【請求項３】
請求項１又は請求項２に記載の固定装置であって、
前記係止部は、当該係止部に設けられ前記クランプ機構又は前記置台機構を所定位置に位置決めする係止爪と、当該係止爪に一体に形成されるとともに前記係止爪を前記被係止部の係止解除位置まで移動可能な押しボタンと、当該押しボタンの裏側に設けられ前記押しボタン及び前記係止爪を係止方向に付勢する弾性部材とを備えていることを特徴とする固定装置。
【発明の詳細な説明】
【技術分野】
【０００１】
本発明は、医療機器をスタンドやベッドサイドのポールに固定する固定装置に関する。
【背景技術】
【０００２】
患者に薬剤等を送液する際、輸液ポンプなどの医療機器が使用されることがある。このような医療機器は、使用する際に固定装置を使ってスタンドやベッドサイドのポールに固定すると便利である。医療機器は使用する際の上下方向が決められており、医療機器を鉛直方向に延びるスタンドのポールや水平方向に延びるベッドサイドのポールに固定する際に、ポールの姿勢に応じて固定装置の角度を９０°変化させる必要がある。このような、医療機器の上下方向を維持してポール側の固定角度を９０°変化させる固定装置が知られている。（例えば、特許文献１参照）。
【先行技術文献】
【特許文献】
【０００３】
【特許文献１】特開２０１３−７０８７８号公報
【発明の概要】
【発明が解決しようとする課題】
【０００４】
特許文献１の固定装置は、医療機器を装着する置台機構と、この置台機構をポールに固定するクランプ機構とを備えている。置台機構は、医療機器が装着されるカバーを有し、カバーの裏側にＬ字状の爪が向かい合うように形成されており、この向かい合うＬ字状の爪の間に別体の枠材がスライドして着脱可能となっている。
【０００５】
クランプ機構は正方形状の枠材を有し、この枠材には、ポールに固定するためのクランプ部と、枠材を上記向かい合うＬ字状の爪の間にスライドして挿入した際に枠材をカバーに形成された凹部に係止する係止爪と、クランプするためのボルト（ハンドル）を備えている。枠材を上記向かい合うＬ字状の爪の間にスライドして挿入することで、ポールに固定したクランプ機構に、置台機構が係止される。
【０００６】
この特許文献１の固定装置では、枠材が正方形状のため、９０°回転させてカバー部の向かい合うＬ字状の爪の間にスライドして挿入することで、ポールの延びる方向（鉛直方向、水平方向）に応じて、クランプ機構を９０°回転させて固定できるので、医療機器の上下方向を保って使用することができる。
【０００７】
ところで、移動式スタンドに医療機器を固定して移動する際など、医療機器が壁や何等かの物に接触することで、固定装置にはさらに大きな負荷が加わることがある。
【０００８】
しかし、特許文献１の固定装置は、カバーの裏側の向かい合うＬ字状の爪のみで枠材を押さえているため、大きな負荷が加わった場合、向かい合うＬ字状の爪が開き、枠材が該爪から外れ、医療機器を固定することが維持し難くなるおそれがある。
【０００９】
本発明は、以上の点に鑑み、姿勢が異なるポールの角度に合わせてクランプ機構の固定角度を変化させるとともに、大きな負荷が加わっても医療機器を強く固定できる固定装置を提供することを目的とする。
【課題を解決するための手段】
【００１０】
[１]上記目的を達成するため、本発明の固定装置は、
医療機器をポールに固定する固定装置であって、
当該固定装置は、前記医療機器が装着される置台機構と、当該置台機構を前記ポールに固定するクランプ機構とからなり、
前記クランプ機構は、前記ポールをクランプするクランプ部と、当該クランプ部に設けられ前記置台機構を連結する連結部とを備え、
前記置台機構は、前記医療機器が装着される置台と、当該置台に表面側の開口幅よりも奥側の幅が大きくなるように形成されている溝状のガイド部と、当該ガイド部に案内された前記クランプ機構を着脱自在に係止する係止部と、前記ガイド部に連設され該ガイド部から前記連結部を挿抜可能な開口部とを備え、
前記連結部は、前記置台機構を連結するときに、前記置台の前記ガイド部に沿った表面に対して摺動可能な摺動面を有する連結本体部と、当該連結本体部から突出し前記ガイド部に沿って摺動可能に該ガイド部の内部空間に嵌合される突出部と、当該ガイド部に案内された前記クランプ機構を前記係止部に係止させる被係止部とを備え、
前記突出部は、前記連結本体部に連設されるとともに、前記突出方向に垂直な第１の方向の外形寸法と前記突出方向に垂直であって該第１の方向と交差する第２の方向の外形寸法とがそれぞれ前記ガイド部の表面側の開口幅よりも小さい首部と、当該突出部の先端に連設されるとともに、前記第１の方向及び前記第２の方向の外形寸法がそれぞれ前記ガイド部の表面側の開口幅よりも大きく且つ前記ガイド部の奥側の幅よりも小さい頭部とを有し、
前記被係止部は、前記突出方向及び前記第１の方向の双方に直交する方向に向かって前記クランプ機構が当該ガイド部に案内されたときに、前記係止部に係止させる第１被係止部と、前記突出方向及び前記第２の方向の双方に直交する方向に向かって前記クランプ機構が当該ガイド部に案内されたときに、前記係止部に係止させる第２被係止部とからなることを特徴とする。
【００１１】
本発明は、クランプ機構の突出部が、前記突出方向に垂直な第１の方向の外形寸法がガイド部の表面側の開口幅よりも小さい首部と、前記第１の方向の外形寸法が前記ガイド部の表面側の開口幅よりも大きく且つ前記ガイド部の奥側の幅よりも小さい頭部とを有するため、前記突出方向及び前記第１の方向の双方に直交する方向に向かって摺動させて、前記クランプ機構を置台機構のガイド部で案内し、前記クランプ機構の第１被係止部を置台機構の係止部に係止させることができる。
【００１２】
そして、クランプ機構の突出部は、前記突出方向に垂直であって該第１の方向と交差する第２の方向の外形寸法がガイド部の表面側の開口幅よりも小さい首部と、前記第２の方向の外形寸法が前記ガイド部の表面側の開口幅よりも大きく且つ前記ガイド部の奥側の幅よりも小さい頭部とを有するので、前記ガイド部に連設された開口部から突出部を一旦抜いて、角度を変化させ、改めて開口部を通り、突出方向及び前記第２の方向の双方に直交する方向に向かって前記クランプ機構を摺動させて、前記クランプ機構の第２被係止部を置台機構の係止部に係止させることができる。
【００１３】
さらに本発明では、固定装置に大きな負荷が加わり、突出部がガイド部に対して傾こうとしても、連結本体部の摺動面が置台のガイド部の開口周辺部分に接しているので、ガイド部の開口端縁が離れる方向に変形することを防止することができる。結果、固定装置に大きな負荷が加わっても、医療機器を強く固定することができる。
【００１４】
[２]また、本発明においては、医療機器をポールに固定する固定装置であって、
当該固定装置は、前記医療機器が装着される置台機構と、当該置台機構を前記ポールに固定するクランプ機構とからなり、
前記クランプ機構は、前記ポールをクランプするクランプ部と、当該クランプ部に設けられ前記置台機構を連結する連結部とを備え、
当該連結部は、当該連結部に表面側の開口幅よりも奥側の幅が大きくなるように形成されている溝状のガイド部と、当該ガイド部に案内された前記置台機構を着脱自在に係止する係止部と、前記ガイド部に連設され該ガイド部から前記置台機構を挿抜可能な開口部とを備え、
前記置台機構は、前記連結部に連結するときに、前記医療機器が装着されるとともに前記連結部の前記ガイド部に沿った表面に対して摺動可能な摺動面を有する置台と、当該置台から突出し前記ガイド部に沿って摺動可能に該ガイド部の内部空間に嵌合される突出部と、前記ガイド部に案内された前記置台機構を前記係止部に係止させる被係止部とを備え、
前記突出部は、前記置台に連設されるとともに、前記突出方向に垂直な第１の方向の外形寸法と前記突出方向に垂直であって該第１の方向と交差する第２の方向の外形寸法とがそれぞれ前記ガイド部の表面側の開口幅よりも小さい首部と、当該突出部の先端に連設されるとともに、前記第１の方向及び前記第２の方向の外形寸法がそれぞれ前記ガイド部の表面側の開口幅よりも大きく且つ前記ガイド部の奥側の幅よりも小さい頭部とを有し、
前記被係止部は、前記突出方向及び前記第１の方向の双方に直交する方向に向かって前記置台機構が当該ガイド部に案内されたときに、前記係止部に係止させる第１被係止部と、前記突出方向及び前記第２の方向の双方に直交する方向に向かって前記置台機構が当該ガイド部に案内されたときに、前記係止部に係止させる第２被係止部とからなることが好ましい。
【００１５】
かかる構成によれば、置台機構の突出部が、前記突出方向に垂直な第１の方向の外形寸法がガイド部の表面側の開口幅よりも小さい首部と、前記第１の方向の外形寸法が前記ガイド部の表面側の開口幅よりも大きく且つ前記ガイド部の奥側の幅よりも小さい頭部とを有するため、前記突出方向及び前記第１の方向の双方に直交する方向に向かって摺動させて、前記置台機構をクランプ機構のガイド部で案内し、前記置台機構の第１被係止部をクランプ機構の係止部に係止させることができる。
【００１６】
そして、置台機構の突出部は、前記突出方向に垂直であって該第１の方向と交差する第２の方向の外形寸法がガイド部の表面側の開口幅よりも小さい首部と、前記第２の方向の外形寸法が前記ガイド部の表面側の開口幅よりも大きく且つ前記ガイド部の奥側の幅よりも小さい頭部とを有するので、前記ガイド部に連設された開口部から突出部を一旦抜いて、角度を変化させ、改めて開口部を通り、突出方向及び前記第２の方向の双方に直交する方向に向かって前記置台機構を摺動させて、前記置台機構の第２被係止部をクランプ機構の係止部に係止させることができる。
【００１７】
さらに本発明では、固定装置に大きな負荷が加わり、突出部がガイド部に対して傾こうとしても、置台の摺動面がクランプ機構のガイド部の開口周辺部分に接しているので、ガイド部の開口端縁が離れる方向に変形することを防止することができる。結果、固定装置に大きな負荷が加わっても、医療機器を強く固定することができる。
【００１８】
[３]また、本発明においては、前記係止部は、当該係止部に設けられ前記クランプ機構又は前記置台機構を所定位置に位置決めする係止爪と、当該係止爪に一体に形成されるとともに前記係止爪を前記被係止部の係止解除位置まで移動可能な押しボタンと、当該押しボタンの裏側に設けられ前記押しボタン及び前記係止爪を係止方向に付勢する弾性部材とを備えていることが好ましい。
【００１９】
かかる構成によれば、押しボタンを押すことで係止爪が被係止部の係止解除位置まで移動する。係止解除して突出部をガイドに沿って移動させるときに被係止部が係止爪を乗り越えることがないので、突出部をガイド部から浮き上がらせる必要がない。このため、突出部の首部の突出長さを、ガイド部の摺動部分の厚みと等しくすることができ、ガイド部に対する突出部のガタつきをなくすことができる。結果、固定装置に大きな負荷が加わり、突出部がガイド部に対して傾いても、ガイド部の開口端縁が離れる方向に変形することをより一層防止することができる。
【図面の簡単な説明】
【００２０】
【図１】本実施形態の固定装置を示す斜視図。
【図２】本実施形態の固定装置を示す分解斜視図。
【図３】図１の固定装置を示すＩＩＩ−ＩＩＩ線部分断面図。
【図４】本実施形態のクランプ機構を示す斜視図。
【図５】図１の固定装置を示すＶ−Ｖ線断面図。
【図６】図６Ａは置台機構にクランプ機構を係止した状態の作用図である。図６Ｂは図６ＡのＢ−Ｂ線断面図である。
【図７】図７Ａは押ボタンが押されて係止解除された状態の作用図である。図７Ｂは図７ＡのＢ−Ｂ線断面図である。
【図８】図８Ａは置台機構に対してクランプ機構をスライド移動させた状態の作用図である。図８Ｂは図８ＡのＢ−Ｂ線断面図である。
【図９】クランプ機構の方向を変えて置台機構に組付ける作用図である。
【図１０】図４のクランプ機構の別態様を示す斜視図である。
【図１１】図１０のクランプ機構の別態様を示す斜視図である。
【図１２】図１１のクランプ機構の別態様を示す斜視図である。
【発明を実施するための形態】
【００２１】
（第１実施形態）
図を参照して、本発明の実施形態１の固定装置１を詳しく説明する。図１に示すように、固定装置１は、例えば輸液ポンプなどの医療機器２が装着される置台機構１０と、当該置台機構１０をポール３に固定するクランプ機構３０とからなる。
【００２２】
図１〜図３に示すように、置台機構１０は、医療機器２が装着される置台１１と、当該置台１１に形成されている溝状のガイド部１２と、当該ガイド部１２に案内されたクランプ機構３０を着脱自在に係止する係止部２１とを備えている。
【００２３】
置台１１は、医療機器２が置かれる底部１３と、当該底部１３の縁から上方に延びる背板部１４と、当該背板部１４に形成されガイド部１２に沿った表面１５とを備えている。
【００２４】
ガイド部１２は、背板部１４に当該背板部１４の下端から上方に延びるとともに、開口の奥側にはガイド補助壁１６が形成され、表面１５側の開口幅Ｌ１よりも奥側の幅Ｌ２が大きいＴ溝状に形成されている。
【００２５】
また、置台機構１０は、ガイド部１２に連設されて、該ガイド部１２から連結部４１を挿抜可能な開口部１７を備えている。
【００２６】
係止部２１は、当該係止部２１に設けられクランプ機構３０を所定位置に位置決めする係止爪２２と、当該係止爪２２の上方に一体に形成される押しボタン２３と、当該押しボタン２３の裏側と背板部１４との間に設けられ押しボタン２３及び係止爪２２を係止方向に付勢する弾性部材２４と、押しボタン２３を保持するカバー２５と、当該カバー２５を背板部１４に締結する締結部材２６とを備えている。係止爪２２には、先端から基端に向かって外側に傾斜する傾斜面２７が形成されている。
【００２７】
図１〜図５に示すように、クランプ機構３０は、ポール３をクランプするクランプ部３１と、当該クランプ部３１に設けられ置台機構１０を連結する連結部４１とを備えている。
【００２８】
クランプ部３１は、ベースとなるクランプ本体部３２と、当該クランプ本体部３２の端部から突出しポール３に当接するアーム部３３と、クランプ本体部３２にアーム部３３に対向するように張り出す張り出し部３４と、当該張り出し部３４に形成される雌ねじ部３５と、当該雌ねじ部３５に螺合されるボルト３６と、ボルト３６の頭に設けられるハンドル３７と、ボルト３６が通されるカラー３８とを備えている。
【００２９】
連結部４１は、置台機構１０を連結するときに、置台１１のガイド部１２に沿った表面１５に対向する連結本体部４２と、当該連結本体部４２から突出しガイド部１２に沿って摺動可能にガイド部１２の内部空間に嵌合される突出部４０と、ガイド部１２に案内されたクランプ機構３０を係止部２１に係止させる被係止部４５とを備えている。連結本体部４２には、ガイド部１２に沿った表面１５に摺動する摺動面４７が設けられている。
【００３０】
なお、実施形態では、摺動面４７を平面としたが、これに限定されず、連結本体部４２の首部４３の周囲を窪ませて、首部４３から離間した位置に摺動面４７を設けてもよい。このような構成にすることで、ガイド部１２に沿った表面１５と接触面積を減らして、連結部４１のガイド部１２への挿入時の抵抗を軽減することができる。さらに、外力により突出部４０が傾こうとした場合に、首部４３から離間した位置で摺動面４７をガイド部１２に沿った表面１５に接触させ、少ない接触面積であっても、てこの作用により突出部４０を傾かないように大きな力で支持することができる。
【００３１】
突出部４０は、連結本体部４２に連設されるとともに、突出方向に垂直な第１の方向の外形寸法Ｗ１と突出方向に垂直であって該第１の方向と交差する第２の方向の外形寸法Ｗ２とがそれぞれガイド部１２の表面側の開口幅Ｌ１よりも小さい首部４３と、当該突出部４０の先端に連設されるとともに、第１の方向及び第２の方向の外形寸法Ｗ３、Ｗ４がそれぞれガイド部１２の表面側の開口幅Ｌ１よりも大きく且つガイド部１２の奥側の幅Ｌ２よりも小さい頭部４４とを有する。
【００３２】
被係止部４５は、突出方向及び第１の方向の双方に直交する方向に向かってクランプ機構３０が当該ガイド部１２に案内されたときに、係止部２１に係止させる第１被係止部４５ａ、４５ｃと、突出方向及び第２の方向の双方に直交する方向に向かってクランプ機構３０が当該ガイド部１２に案内されたときに、係止部２１に係止させる第２被係止部４５ｂとからなる。
【００３３】
首部４３は多角柱であり、被係止部４５は、多角柱の各辺の外方に形成されている。具体的には、首部４３である多角柱は、ガイド部１２の表面側の開口幅Ｌ１より若干短い辺を有する正四角柱であり、被係止部４５ａ、ｂ、ｃは少なくとも３つ形成されている。連結本体部４２には、クランプ本体部３２が重ねられ、クランプ本体部３２は締結部材４６によって連結本体部４２に締結されている。
【００３４】
次いで、置台機構１０の組立てについて説明する。置台機構１０においては、ガイド部１２の上方で置台１１の背板部１４に、弾性部材２４、押しボタン２３、カバー２５に順に重ね、締結部材２６でカバー２５を背板部１４に締結する。
【００３５】
次いで、クランプ機構３０の組立てについて説明する。クランプ機構３０においては、連結本体部４２にクランプ本体部３２を重ね、締結部材４６でクランプ本体部３２を連結本体部４２に締結する。カラー３８にボルト３６を通し、ボルト３６を張り出し部３４の雌ねじ部３５に螺合する。
【００３６】
次いで固定装置１の作用を説明する。図６Ａに示すように、固定装置１は、例えばスタンドのような鉛直方向に延びるポールに取付け、ハンドル３７を右向きに配置した状態である。置台機構１０にクランプ機構３０を取り付けられた状態である。図６Ｂに示すように、係止部２１の係止爪２２に、連結部４１の被係止部４５ａが係止されている。
【００３７】
図７Ａに示すように、固定装置１は、係止部２１の押しボタン２３を矢印（１）のように押した状態である。図７Ｂに示すように、押しボタン２３とともに係止爪２２が背板部１４側に移動し、係止爪２２による被係止部４５ａの係止が解除される。
【００３８】
図８Ａに示すように、固定装置１は、クランプ機構３０を置台機構１０のガイド部１２に沿って移動させた状態である。図８Ｂに示すように、係止爪２２から被係止部４５ａが離間し、置台１１のガイド部１２沿った表面を連結本体部４２の摺動面４７が矢印（２）のように摺動している。
【００３９】
図９に示すように、実線で示すクランプ機構３０は、例えばベッドサイドの水平方向に延びるポールに取付け、ハンドル３７を下向きに配置した状態で、置台機構１０に連結する状態を示す。この向きでクランプ機構３０の首部４３を置台機構１０のガイド部１２に案内し、被係止部４５ｂを係止爪２２に係止する。
【００４０】
実線で示すクランプ機構３０を、スタンド等の鉛直に伸びるポールにハンドル３７を右向きにした状態で取付ける場合は、係止爪２２による被係止部４５ｂの係止を解除し、クランプ機構３０を置台機構１０から一旦外し、ハンドル３７を右に９０°回転させ、図右側の想像線で示すクランプ機構３０の状態とする。ハンドル３７が右向きの状態のクランプ機構３０を置台機構１０のガイド部１２に案内し、被係止部４５ａを係止爪２２に係止する。
【００４１】
実線で示すクランプ機構３０を、スタンド等の鉛直に伸びるポールにハンドル３７を左向きにした状態で取付ける場合は、係止爪２２による被係止部４５ｂの係止を解除し、クランプ機構３０を置台機構１０から一旦外し、ハンドル３７を左に９０°回転させ、図左側の想像線で示すクランプ機構３０の状態とする。ハンドル３７が左向きの状態のクランプ機構３０を置台機構１０のガイド部１２に案内し、被係止部４５ｃを係止爪２２に係止する。
【００４２】
次いで、図４の別態様について説明する。なお、図４と同様の構成については、説明を省略し、符号を流用するものとする。
【００４３】
図１０に示すように、クランプ機構３０の突出部４０は、連結本体部４２に連設される円柱状の首部４３と、突出部４０の先端に連設される円柱状の頭部４４とを備えている。首部４３の外径は、ガイド部１２の表面側の開口幅よりも小さい。頭部４４の外径は、首部４３の外径よりも大きく且つガイド部１２の表面側の開口幅よりも大きく且つガイド部１２の奥側の幅よりも小さい。
【００４４】
また、首部４３の外径方向に、環状の被係止部４５が形成されている。このため、クランプ機構３０はガイド部１２（図５参照）に自由回転させて嵌合させることができ、ハンドル３７の位置を３６０°の自由な角度に配置することができる。なお、被係止部４５を係止する係止爪２２は、被係止部４５に係止可能な幅に設定されている。
【００４５】
図１１に示すように、環状の被係止部４５の外側に複数の平面部４８を連設している。係止爪２２に被係止部４５を係止した際に、平面部４８が押しボタン２３の下面に接触することでクランプ機構３０に対する置台機構１０の回転を防止することができる。
【００４６】
図１２に示すように、環状の被係止部４５の内方に、複数の平面部４９を連設している。係止爪２２に被係止部４５を係止した際に、平面部４９に係止爪２２の先端を接触させることでクランプ機構３０に対する置台機構１０の回転を防止することができる。
【００４７】
以上に述べたように、クランプ機構３０の連結部４１は、連結本体部４２から突出しガイド部１２に沿って摺動可能に該ガイド部１２の内部空間に嵌合される突出部４０を備え、突出部４０は、連結本体部４２に連設されるとともに、突出方向に垂直な第１の方向の外形寸法と突出方向に垂直であって該第１の方向と交差する第２の方向の外形寸法とがそれぞれガイド部１２の表面側の開口幅よりも小さい首部４３と、当該突出部４０の先端に連設されるとともに、第１の方向及び第２の方向の外形寸法がそれぞれガイド部１２の表面側の開口幅よりも大きく且つガイド部１２の奥側の幅よりも小さい頭部４４とを有するので、ガイド部１２に対して突出部４０の角度を複数方向に変化させることができる。
【００４８】
置台機構１０は、置台１１に表面側の開口幅よりも奥側の幅が大きくなるように形成されている溝状のガイド部１２と、ガイド部１２に連設され該ガイド部１２から連結部４１を挿抜可能な開口部１７とを備えるので、連結部４１をガイド部１２から挿抜して、連結部４１を備えるクランプ機構３０の角度を姿勢が異なるポールの角度に合わせて変化させることができる。
【００４９】
連結部４１は、ガイド部１２に案内されたクランプ機構３０を係止部２１に係止させる被係止部４５ａ、４５ｂ、４５ｃを備え、被係止部４５ａ、４５ｂ、４５ｃは、突出部４０の突出方向及び第１の方向の双方に直交する方向に向かってクランプ機構３０が当該ガイド部１２に案内されたときに、係止部２１に係止させる第１被係止部４５ａ、４５ｃと、突出方向及び第２の方向の双方に直交する方向に向かってクランプ機構３０が当該ガイド部１２に案内されたときに、係止部２１に係止させる第２被係止部４５ｂとからなるので、角度を変えてクランプ機構３０の突出部４０を嵌合した際に、第１被係止部４５ａ、４５ｃ又は第２被係止部４５ｂを係止部２１に係止することができる。
【００５０】
仮に固定装置１に大きな負荷が加わり、クランプ機構３０の突出部４０が置台機構１０のガイド部１２から外れる方向の外力を受けて突出部４０がガイド部１２に対して傾いても、連結本体部４２の摺動面４７が置台１１のガイド部１２に沿った表面１５に接するので、ガイド部１２の開口周辺部分を抑えて突出部４０がガイド部１２から外れないようにすることができる。結果、固定装置１に大きな負荷が加わっても、係止部２１を被係止部４５ａ、４５ｂ、４５ｃに係止させた状態で、医療機器２を強く固定することができる。
【００５１】
押しボタン２３を押すことで係止爪２２が被係止部４５ａ、４５ｂ、４５ｃの係止解除位置まで後退する。係止解除して突出部４０をガイドに沿って移動させるときに被係止部４５ａ、４５ｂ、４５ｃが係止爪２２を乗り越えることがないので、突出部４０をガイド部１２から浮き上がらせる必要ない。
【００５２】
このため、突出部４０の首部４３の突出長さを、ガイド部１２の摺動部分の厚みと等しくすることができ、ガイド部１２に対する突出部４０のガタつきをなくすことができる。結果、固定装置１に大きな負荷が加わり、突出部４３がガイド部１２に対して傾いても、ガイド部１２の開口端縁が離れる方向に変形することをより一層防止することができる。
【００５３】
さらに、係止部２１は、当該係止部２１に設けられクランプ機構３０又は置台機構１０を所定位置に位置決めする係止爪２２を備えており、当該係止爪２２の上方に一体に押しボタン２３が形成され、弾性部材２４によって押しボタン２３及び係止爪２２が係止方向に付勢されているので、弾性部材２４の付勢力によって係止爪２２を被係止部４５ａ、４５ｂ、４５ｃに係止させた状態にすることができる。
【００５４】
さらに、クランプ機構３０と置台機構１０とを連結する際、突出部４０をガイド部１２にスライドさせるだけで、係止爪２２の傾斜面２７に被係止部４５ａ、４５ｂ、４５ｃが乗り上げさせて、係止爪２２を被係止部４５ａ、４５ｂ、４５ｃに容易に係止させることができる。
【００５５】
さらに、連結本体部４２に重ねられたクランプ本体部３２のアーム部３３と、クランプ本体部３２の張り出し部３４に設けられたボルト３６とで、ポール３を挟み込み、ボルト３６を締め付けるだけでポール３をクランプすることができる。結果、固定装置１のクランプ機構３０を容易にポール３に固定することができる。
【００５６】
さらに、選択的に複数方向でクランプ機構３０をポール３にクランプさせた状態で、被係止部４５ａ、４５ｂ、４５ｃを係止部２１に係止することができる。
【００５７】
クランプ機構３０を置台機構１０に連結するときに、ガイド部１２に正四角柱状の首部４３が嵌りクランプ機構３０が回転し難くなるので、クランプ機構３０をそのまま移動させるだけで係止部２１を被係止部４５ａ、４５ｂ、４５ｃに係止することができる。さらに、被係止部４５ａ、４５ｂ、４５ｃは少なくとも３つ形成されているので、置台機構１０に対して少なくとも３方向でクランプ機構３０を係止することができる。
【００５８】
首部４３近傍の摺動面４７と頭部４４との間に、置台１１のガイド部１２に沿った部分が嵌り、摺動面４７と置台１１のガイド部１２に沿った表面１５とのガタつきがなくなり、固定装置１に大きな負荷が加わり、突出部４０がガイド部１２に対して傾いても、ガイド部１２の開口端縁が離れる方向に変形することをより防止することができる。
【００５９】
押しボタン２３の係止爪２２側の面と当該係止爪２２との間に被係止部４５、４５ａ、４５ｂ、４５ｃが嵌るので、被係止部４５、４５ａ、４５ｂ、４５ｃが押しボタン２３と係止爪２２との間を移動する必要がない。
【００６０】
（第２実施形態）
次に本発明の第２実施形態を説明する。なお、第１実施形態と同様の構成については、説明を省略し、図１〜図１２の符号を部分的に流用するものとする。
【００６１】
図１に示すように、固定装置１は、医療機器２が装着される置台機構１０と、当該置台機構１０をポール３に固定するクランプ機構３０とからなる。クランプ機構３０は、ポール３をクランプするクランプ部３１と、クランプ部３１に設けられ置台機構１０を連結する連結部４１とを備える。
【００６２】
連結部４１は、当該連結部４１に表面側の開口幅よりも奥側の幅が大きくなるように形成されている溝状のガイド部１２と、当該ガイド部１２に案内された置台機構１０を着脱自在に係止する係止部２１と、ガイド部１２に連設され該ガイド部１２から置台機構１０を挿抜可能な開口部１７とを備える。
【００６３】
置台機構１０は、連結部４１に連結するときに、医療機器２が装着されるとともに連結部４１のガイド部１２に沿った表面に対して摺動可能な摺動面を有する置台１１と、当該置台１１から突出しガイド部１２に沿って摺動可能に該ガイド部１２の内部空間に嵌合される突出部４０と、ガイド部１２に案内された置台機構１０を係止部２１に係止させる被係止部４５とを備える。
【００６４】
突出部４０は、置台１１に連設されるとともに、突出方向に垂直な第１の方向の外形寸法と突出方向に垂直であって該第１の方向と交差する第２の方向の外形寸法とがそれぞれガイド部１２の表面側の開口幅よりも小さい首部４３と、当該突出部４０の先端に連設されるとともに、第１の方向及び第２の方向の外形寸法がそれぞれガイド部１２の表面側の開口幅よりも大きく且つガイド部１２の奥側の幅よりも小さい頭部４４とを有する。
【００６５】
被係止部４５は、突出方向及び第１の方向の双方に直交する方向に向かって置台機構１０が当該ガイド部１２に案内されたときに、係止部２１に係止させる第１被係止部４５ａ、４５ｃと、突出方向及び第２の方向の双方に直交する方向に向かって置台機構１０が当該ガイド部１２に案内されたときに、係止部２１に係止させる第２被係止部４５ｂとからなる。
【００６６】
かかる構成によれば、ガイド部１２に対して突出部の角度を複数方向に変化させることができる。置台機構１０をガイド部１２から挿抜して、連結部４１を備えるクランプ機構３０の角度を姿勢が異なるポール３の角度に合わせて変化させることができる。ガイド部１２に角度を変えて置台機構１０の突出部４０を嵌合した際に、第１被係止部４５ａ、４５ｃ又は第２被係止部４５ｂを係止部２１に係止することができる。
【００６７】
仮に固定装置１に大きな負荷が加わり、置台機構１０の突出部４０がクランプ機構３０のガイド部１２から外れる方向の外力を受けて突出部４０がガイド部１２に対して傾いても、置台１１の摺動面が連結部４１のガイド部１２に沿った表面１５に接するので、ガイド部１２の開口周辺部分を抑えて突出部４０がガイド部１２から外れないようにすることができる。結果、固定装置１に大きな負荷が加わっても、係止部２１を被係止部４５に係止させた状態で、医療機器２を強く固定することができる。
【００６８】
なお、実施形態では、係止爪２２を被係止部４５、４５ａ、４５ｂ、４５ｃに係止する形態としたが、これに限定されず、係止爪２２及び被係止部４５、４５ａ、４５ｂ、４５ｃを面ファスナー、磁石などにしてもよく、係止部２１を介して置台機構１０とクランプ機構３０とを係止できれば他の部材、係止機構であっても差し支えない。
【００６９】
また、実施形態では、係止部２１と係止される際の被係止部４５、４５ａ、４５ｂ、４５ｃを、突出部４３のガイド部１２の移動方向に配置したが、これに限定されず、移動方向から角度が３０°、４５°、９０°ずらした位置に、係止部２１と係止される際の被係止部４５、４５ａ、４５ｂ、４５ｃを配置してもよく、ガイド部１２に突出部４３を嵌合する際に、被係止部４５、４５ａ、４５ｂ、４５ｃが係止部２１に係止されれば配置場所は問わない。
【００７０】
また、第１実施形態では、首部４３及び頭部４４を正四角柱としたが、これに限定されず、三角柱、平面視で長方形の四角柱、五角柱、六角柱、円柱、平面視で楕円の柱などとしてもよく、さらには、首部４３と頭部４４との組み合わせを上記の中から変えても差し支えない。
【００７１】
また、実施形態では、ガイド部１２を、いわゆるＴ溝としたが、これに限定されず、あり溝などでもよく、表面側の開口幅よりも奥側の幅が大きくなるように溝が形成されていれば、ガイド部１２の形態は問わない。
【符号の説明】
【００７２】
１  固定装置
２  医療機器（輸液ポンプ）
３  ポール
１０  置台機構
１１  置台
１２  ガイド部
１３  底部
１４  背板部
１５  表面
１６  ガイド補助壁
１７  開口部
２１  係止部
２２  係止爪
２３  押しボタン
２４  弾性部材
２５  カバー
２６、４６  締結部材
２７  傾斜面
３０  クランプ機構
３１  クランプ部
３２  クランプ本体部
３３  アーム部
３４  張り出し部
３５  雌ねじ部
３６  ボルト
３７  ハンドル
３８  カラー
４０  突出部
４１  連結部
４２  連結本体部
４３  首部
４４  頭部
４５、４５ａ、４５ｂ、４５ｃ  被係止部
４７  摺動面
４８、４９  平面部
【図１】
2019126358.tif 000003
【図２】
2019126358.tif 000004
【図３】
2019126358.tif 000005
【図４】
2019126358.tif 000006
【図５】
2019126358.tif 000007
【図６】
2019126358.tif 000008
【図７】
2019126358.tif 000009
【図８】
2019126358.tif 000010
【図９】
2019126358.tif 000011
【図１０】
2019126358.tif 000012
【図１１】
2019126358.tif 000013
【図１２】
2019126358.tif 000014